(57)【要約】【課題】水の室外への流出を適切に防止することができる止水部材、該止水部材を備えた建具を提供する。【解決手段】上枠と下枠と左右の縦枠とを備え、室内と室外との間に設けられた枠体と、該枠体に対して開閉自在に取り付けられた障子と、前記室内の水が前記枠体と前記障子との隙間を通って前記室外へ流出することを防止するための止水部材と、を有する建具であって、前記止水部材は、該止水部材上の水を分けて前記室内へ向けて流すための第一流面及び第二流面、を構成する第一流面構成部及び第二流面構成部であって、該第一流面構成部及び第二流面構成部の上面がそれぞれ前記第一流面及び第二流面となっている第一流面構成部及び第二流面構成部、を備え、前記第二流面は、前記第一流面構成部の下方へ水を導くための斜面である。【選択図】図３
2008138401.tif 000002
【特許請求の範囲】
【請求項１】
上枠と下枠と左右の縦枠とを備え、室内と室外との間に設けられた枠体と、
該枠体に対して開閉自在に取り付けられた障子と、
前記室内の水が前記枠体と前記障子との隙間を通って前記室外へ流出することを防止するための止水部材と、
を有する建具であって、
前記止水部材は、
該止水部材上の水を分けて前記室内へ向けて流すための第一流面及び第二流面、を構成する第一流面構成部及び第二流面構成部であって、該第一流面構成部及び第二流面構成部の上面がそれぞれ前記第一流面及び第二流面となっている第一流面構成部及び第二流面構成部、
を備え、前記第二流面は、前記第一流面構成部の下方へ水を導くための斜面であることを特徴とする建具。
【請求項２】
請求項１に記載の建具であって、
前記第一流面構成部の下面と前記下枠との間に、空間が設けられており、
前記第二流面は、
該空間へ水を導くために、その先端が該空間の方を向いている斜面、
であることを特徴とする建具。
【請求項３】
請求項２に記載の建具であって、
前記空間の一部は、前記枠体と前記障子との隙間に位置し、
前記第二流面は、
前記空間のうちの前記隙間に位置する部分、へ水を導くために、その先端が該部分の方を向いている斜面、
であることを特徴とする建具。
【請求項４】
上枠と下枠と左右の縦枠とを備え室内と室外との間に設けられた枠体、と該枠体に対して開閉自在に取り付けられた障子との隙間を前記室内の水が通って前記室外へ流出することを防止するための止水部材であって、
該止水部材上の水を分けて前記室内へ向けて流すための第一流面及び第二流面、を構成する第一流面構成部及び第二流面構成部であって、該第一流面構成部及び第二流面構成部の上面がそれぞれ前記第一流面及び第二流面となっている第一流面構成部及び第二流面構成部、
を備え、前記第二流面は、前記第一流面構成部の下方へ水を導くための斜面であることを特徴とする止水部材。
【発明の詳細な説明】
【技術分野】
【０００１】
本発明は、建具、及び、止水部材に関する。
【背景技術】
【０００２】
上枠と下枠と左右の縦枠とを備え室内と室外との間に設けられた枠体と、該枠体に対して開閉自在に取り付けられた障子と、を備えた建具は、既によく知られている。このような建具としては、例えば、浴室内と浴室外との間に位置する建具があり、当該建具には、室内の水が枠体と障子との隙間を通って室外へ流出することを防止するための止水部材、が備えられている（例えば、特許文献１参照）。当該止水部材は、例えば、止水部材上の水を室内へ向けて流すための流面、を備えており、当該流面が水を室内へ導くことにより水の室外への流出が防止される。
【特許文献１】特開２００３−２１４０５３号公報
【発明の開示】
【発明が解決しようとする課題】
【０００３】
しかしながら、止水部材上の水が多量となった場合等には、前記流面が水を室内へ向けて適切に流すことができず、止水部材の止水機能が適正に働かない問題が生じるという課題があった。
【０００４】
本発明は、かかる課題に鑑みてなされたものであり、その目的とするところは、水の室外への流出を適切に防止することができる止水部材、該止水部材を備えた建具を提供することにある。
【課題を解決するための手段】
【０００５】
かかる目的を達成するために本発明の建具は、上枠と下枠と左右の縦枠とを備え、室内と室外との間に設けられた枠体と、該枠体に対して開閉自在に取り付けられた障子と、前記室内の水が前記枠体と前記障子との隙間を通って前記室外へ流出することを防止するための止水部材と、を有する建具であって、前記止水部材は、該止水部材上の水を分けて前記室内へ向けて流すための第一流面及び第二流面、を構成する第一流面構成部及び第二流面構成部であって、該第一流面構成部及び第二流面構成部の上面がそれぞれ前記第一流面及び第二流面となっている第一流面構成部及び第二流面構成部、を備え、前記第二流面は、前記第一流面構成部の下方へ水を導くための斜面であることを特徴とする建具である。
【０００６】
このような建具によれば、止水部材が、該止水部材上の水を分けて室内へ向けて流すための第一流面及び第二流面、を備えているため、当該水が第一流面及び第二流面の双方に分かれて流れることとなる。したがって、止水部材上の水が多量となっても、水を室内へ向けて適切に流すことが可能となる。
【０００７】
また、第二流面が、上面が第一流面となっている第一流面構成部、の下方へ水を導くための斜面となっていることにより、二つの経路（第一流面と第二流面）に分けて水を流す場合であっても、第一流面を流れる水と第二流面を流れる水とが、最終的に同様の箇所へ導かれることとなる。そして、このことは、以下の優位性をもたらす。すなわち、建具の設計等の際、流面を流れる水の導き先の候補が複数あった場合に、水が最も理想的な箇所に導かれるようにするのが望ましいが、第一流面を流れる水と第二流面を流れる水とが異なる箇所へ導かれる場合には、このことを実現することが不可能となる。これに対し、上記建具によれば、最も理想的な箇所に水を導くことが可能となる。したがって、水を積極的に室内へ向かわせる止水部材の機能が有効に働くこととなり、水の室外への流出を適切に防止することが可能となる。
【０００８】
かかる建具であって、前記第一流面構成部の下面と前記下枠との間に、空間が設けられており、前記第二流面は、該空間へ水を導くために、その先端が該空間の方を向いている斜面、であることが望ましい。  
このような建具によれば、簡易な構成で、第一流面構成部の下方へ水を導くことが可能となる。
【０００９】
かかる建具であって、前記空間の一部は、前記枠体と前記障子との隙間に位置し、前記第二流面は、前記空間のうちの前記隙間に位置する部分、へ水を導くために、その先端が該部分の方を向いている斜面、であることが望ましい。  
このような建具によれば、第一流面を流れて隙間を通過する水の下側に、第二流面からの水が導かれることとなるため、二つの経路（第一流面４８と第二流面５０）に分けて水を流す場合であっても、最も理想的な箇所である隙間の方へ第一流面を流れる水と第二流面を流れる水の双方を導かせることが可能となる。
【００１０】
また、かかる目的を達成するために本発明の止水部材は、上枠と下枠と左右の縦枠とを備え室内と室外との間に設けられた枠体、と該枠体に対して開閉自在に取り付けられた障子との隙間を前記室内の水が通って前記室外へ流出することを防止するための止水部材であって、該止水部材上の水を分けて前記室内へ向けて流すための第一流面及び第二流面、を構成する第一流面構成部及び第二流面構成部であって、該第一流面構成部及び第二流面構成部の上面がそれぞれ前記第一流面及び第二流面となっている第一流面構成部及び第二流面構成部、を備え、前記第二流面は、前記第一流面構成部の下方へ水を導くための斜面であることを特徴とする止水部材である。  
このような止水部材によれば、上述した効果、すなわち、水を積極的に室内へ向かわせる止水部材の機能が有効に働くこととなり、水の室外への流出を適切に防止することが可能となる効果、が奏される。
【発明の効果】
【００１１】
本発明によれば、水の室外への流出を適切に防止することができる止水部材、該止水部材を備えた建具を提供することができるという効果がある。
【発明を実施するための最良の形態】
【００１２】
以下、本発明の一実施形態に係る建具について図１〜４を参照して説明する。  
本実施形態に係る建具１０は、図１、図２に示すように、躯体に固定され、浴室内と浴室外との間に設けられた枠体１４と、枠体１４に対して開閉自在に取り付けられた障子としての折れ戸２０と、後に詳述する止水部材４０と、を有している。
【００１３】
枠体１４は、折れ戸２０の上下に位置する上枠１４ａ及び下枠１４ｂと、左右に位置する縦枠１４ｃ、１４ｄとを有している。折れ戸２０は、左右一対の扉体２２、２４を備えており、双方の扉体２２、２４は、それらの間に設けられたヒンジにより連結されている。また、扉体２２、２４の、下枠１４ｂの長手方向において端部側に位置する縦框２２ａ、２４ａ（図１）、の下方には、扉体２２を回動可能に支持するための一対の扉体支持部材（一方の扉体支持部材２６のみ、図２に示す。また、図２には、回動軸の位置が点線で示されている）が設けられており、その一方は、下枠１４ｂに固定され、他方は、下枠１４ｂに設けられたレール上をスライドできるようになっている。そして、折れ戸２０は、双方の扉体２２、２４（縦框２２ａ、２４ａ）が近接するように扉体２２、２４の連結部分が浴室内側に移動されて折り曲げられることにより開放される。
【００１４】
止水部材４０は、浴室内の水が前記枠体１４と前記折れ戸２０との隙間３０を通って浴室外へ流出することを防止するための、樹脂製の部材である。この止水部材４０は、前記縦枠１４ｃ、１４ｄの長手方向において下側、かつ、下枠１４ｂの長手方向において両端部側に設けられている。すなわち、建具１０は、二つの止水部材４０を備えており、各々の止水部材４０は、建具１０の左下隅と右下隅（図１において、丸印で示す）にそれぞれ設けられている。なお、当該左下隅の止水部材４０と当該下右隅の止水部材４０の構成、作用等は、ほぼ同様なので、以下、左下隅の止水部材４０について説明する。
【００１５】
図２において、斑点を施した部分が、止水部材４０である。本実施の形態において、止水部材４０は、扉体２２（縦框２２ａ）から見て浴室内部３２とは反対側に設けられている。そして、止水部材４０の二つの側面のうち下枠１４ｂの長手方向において端部側に位置する第一側面４２は枠体１４（より具体的には、縦枠１４ｃ）に接しており、長手方向において中央部側に位置する第二側面４４は、シール部材６０に接している。また、シール部材６０の、下枠１４ｂの長手方向において第二側面４４に接している側と反対側の位置、には、その先端部６２ａが縦框２２ａに当接するように延出した延出部６２が備えられている。したがって、図２に示されるように、扉体２２から見て浴室内部３２とは反対側には、止水部材４０、シール部材６０、縦框２２ａにより囲まれた空間（当該空間は、浴室内部３２と浴室外部３４との間に位置することから、本実施の形態において、当該空間を、便宜上、中間部３６と呼ぶ）が存在することとなる。
【００１６】
そして、止水部材４０は、シール部材６０、縦框２２ａと協働して、中間部３６の入口である前記隙間３０を通って浴室内部３２から中間部３６に入ってきた水が浴室外部３４へ流出することを防止する機能を果たす。すなわち、止水部材４０は、シール部材６０、縦框２２ａと共に、浴室内部３２から中間部３６に入ってきた水をブロックすることにより、当該流出を防止する。なお、シール部材６０や縦框２２ａは、建具１０の上方から下方に亘って設けられている一方で、止水部材４０は、前記上方まで達していないため、中間部３６の上方の水をブロックすることはできない。しかしながら、止水部材４０の背面４６側には、縦枠１４ｃから下枠１４ｂの長手方向に沿うように内側へ突出した突出部１４ｅが、背面４６と接するように、建具１０の上方から下方に亘って設けられており、当該突出部１４ｅが、止水部材４０の上方の水をブロックするようになっている。なお、当該突出部１４ｅは、図２に示すように、止水部材４０、シール部材６０を取り付けるための取り付け部としての役割も果たしている。
【００１７】
図２からも明らかなように、前記隙間３０の広さは、中間部３６の広さと比べて、かなり狭くなっており、浴室内部３２からの水が中間部３６へ入りにくくなっている。しかしながら、多量の水が入ってしまった場合には、水に対する前述した部材のブロック効果があっても、水が浴室外部３４へ流出する危険性が高まることとなる。そのため、止水部材４０には、他の部材（シール部材６０、縦框２２ａ、突出部１４ｅ）とは異なり、浴室内部３２から中間部３６に入ってきた水をブロックする前述の機能だけでなく、当該水を積極的に浴室内部３２へ向かわせる（戻す）機能を持たせることとしており、当該止水部材４０は、双方の機能により、水の浴室外への流出を防止する役割を果たすこととなる。
【００１８】
すなわち、止水部材４０は、図２〜図４に示すように（なお、図３においては、止水部材４０を適切に示すために、図２とは異なり、縦框２２ａや扉体支持部材２６の記載を省略している）、止水部材４０上の水を浴室内へ向けて流すための流面を備えている。
【００１９】
本実施の形態においては、当該流面として、止水部材４０上の水を分けて浴室内へ向けて流すための第一流面４８及び第二流面５０、が設けられている。すなわち、第一流面４８及び第二流面５０は、共に、浴室内部３２に向かって傾斜している斜面であり、主に止水部材４０の最上面５６に乗った水、を二つの経路に分けて浴室内へ向けて運ぶ役割を果たす。例えば、図５に示すように、前述した突出部１４ｅが止水部材４０の上方の水をブロックした場合に、ブロックされた水は、前記最上面５６に落下する。そして、当該最上面５６に落下した水が、二つの経路（第一流面４８と第二流面５０）に分かれて流れて、前記隙間３０を通過した後、浴室内部３２へ至ることとなる。
【００２０】
また、止水部材４０は、図４に示すように、第一流面４８及び第二流面５０を構成する第一流面構成部５２及び第二流面構成部５４を備えており、第一流面構成部５２及び第二流面構成部５４の上面が、それぞれ第一流面４８及び第二流面５０となっている。
【００２１】
第一流面構成部５２の側面は、図２に示すように、縦枠１４ｃに接している。すなわち、第一流面構成部５２の側面は、前述した第一側面４２である。また、第一流面構成部５２の先端部５２ａは、図２に示すように、前記隙間３０に位置している。そして、第一流面４８の先端４８ａは、浴室内部３２の該隙間３０を越えた部分、の方を向いている。さらに、第一流面構成部５２の下面５２ｂと前記下枠１４ｂとの間（具体的に説明すると、本実施の形態においては、下面５２ｂと下枠１４ｂの上方にて該下枠１４ｂに固定された扉体支持部材２６との間）には、空間Ｓが設けられている。
【００２２】
第二流面構成部５４の側面は、図２に示すように、シール部材６０に接している。すなわち、第二流面構成部５４の側面は、前述した第二側面４４である。また、第二流面構成部の先端部５４ａは、図３に示すように、中間部３６から隙間３０を通って浴室内部３２へ向かう方向において、第一流面構成部５２の先端部５２ａよりも手前側に位置している。そして、第二流面５０の傾斜は、第一流面４８の傾斜よりも急となっており、第二流面５０の先端５０ａは、前記空間Ｓの方を向いている。すなわち、第二流面５０は、第一流面構成部５２の下方へ水を導くための斜面となっている。なお、本実施の形態においては、図２、図３から理解されるように、当該空間Ｓの一部が、前記隙間３０に位置している。そして、先端５０ａは、空間Ｓのうちの隙間３０に位置する部分、の方を向いている。
【００２３】
第一流面４８及び第二流面５０を構成する第一流面構成部５２及び第二流面構成部５４が上述した構成を有しているから、二つの経路（第一流面４８と第二流面５０）に分かれて流れた水は、その後、それぞれ、以下のように移動する。すなわち、第一流面４８を流れた水は、やがて、先端４８ａ（隙間３０）へ達し、先端４８ａが向いている、浴室内部３２の隙間３０を越えた部分、へ落ちる。一方、第二流面５０を流れた水は、やがて、先端５０ａへ達し、先端５０ａが向いている、空間Ｓのうちの隙間３０に位置する部分、へ落ちてから、浴室内部３２へ至る。このようにして、二つの経路に分かれた水は、最終的に、隙間３０を通過して浴室内部３２へ到達することとなる。
【００２４】
なお、図３に示すように、止水部材４０の底面は、下枠１４ｂに接しており、下枠１４ｂは、突出部１４ｅと共に、止水部材４０を支えている。また、止水部材４０の周辺には、前述したシール部材６０とは異なる、下枠１４ｂの長手方向に沿った第二シール部材６４、が設けられており、図２、図３に、当該第二シール部材６４が表されている。
【００２５】
次に、本実施の形態に係る止水部材４０、及び、当該止水部材４０を備えた建具１０の優位性について説明する。上述したとおり、本実施の形態に係る止水部材４０は、該止水部材４０上の水を分けて浴室内へ向けて流すための第一流面４８及び第二流面５０、を構成する第一流面構成部５２及び第二流面構成部５４であって、該第一流面構成部５２及び第二流面構成部５４の上面がそれぞれ前記第一流面４８及び第二流面５０となっている第一流面構成部５２及び第二流面構成部５４、を備え、第二流面５０は、第一流面構成部５２の下方へ水を導くための斜面である。このことにより、水の浴室外への流出を適切に防止することができる止水部材４０、該止水部材４０を備えた建具１０が提供されることとなる。
【００２６】
すなわち、背景技術の項等で説明したとおり、止水部材は、止水部材上の水を浴室内へ向けて流すための流面、を備えており、当該流面が水を浴室内へ導くことにより水の浴室外への流出が防止されるようになっている。しかしながら、止水部材上の水が多量となった場合等には、前記流面が水を浴室内へ向けて適切に流すことができず、止水部材の止水機能が適正に働かないという問題が生じるという課題があった。
【００２７】
これに対し、本実施の形態に係る止水部材４０は、該止水部材４０上の水を分けて浴室内へ向けて流すための第一流面４８及び第二流面５０、を備えているため、当該水が第一流面４８及び第二流面５０の双方に分かれて流れることとなる。したがって、止水部材４０上の水が多量となっても、水を浴室内部３２へ向けて適切に流すことが可能となる。
【００２８】
また、本実施の形態において、第二流面５０は、上面が第一流面４８となっている第一流面構成部５２、の下方へ水を導くための斜面となっている。すなわち、第一流面４８を流れる水の下側に、第二流面５０からの水が導かれることとなる。このことにより、二つの経路（第一流面４８と第二流面５０）に分けて水を流す場合であっても、第一流面４８を流れる水と第二流面５０を流れる水とが、最終的に同様の箇所へ導かれることとなる。
【００２９】
そして、このことは、以下の優位性をもたらす。すなわち、建具１０の設計等の際、流面を流れる水の導き先の候補が複数あった場合に、水が最も理想的な箇所に導かれるようにするのが望ましいが、第一流面４８を流れる水と第二流面５０を流れる水とが異なる箇所へ導かれる場合には、このことを実現することが不可能となる。これに対し、本実施の形態の場合には、最も理想的な箇所に水を導くことが可能となり、前述した効果、すなわち、止水部材４０上の水が多量となっても水を適切に流すことが可能となる効果、と相俟って、水を積極的に浴室内部３２へ向かわせる（戻す）前述した機能が有効に働くこととなる。したがって、本実施の形態に係る止水部材４０によれば、水の浴室外への流出を適切に防止することが可能となる。
【００３０】
また、本実施の形態に係る止水部材４０の第二流面５０は、第一流面構成部５２の下面５２ｂと下枠１４ｂとの間に設けられた空間Ｓへ水を導くために、その先端５０ａが該空間Ｓの方を向いている斜面、であるため、簡易な構成で、第一流面構成部５２の下方へ水を導くことが可能となる。
【００３１】
また、本実施の形態においては、前記空間Ｓの一部が、枠体１４と折れ戸２０との隙間３０に位置し、第二流面５０は、空間Ｓのうちの前記隙間３０に位置する部分、へ導くために、その先端５０ａが該空間Ｓの方を向いている斜面、であることとした。すなわち、本実施の形態においては、第一流面４８を流れて隙間３０を通過する水の下側に、第二流面５０からの水が導かれることとなる。このことにより、二つの経路（第一流面４８と第二流面５０）に分けて水を流す場合であっても、最も理想的な箇所である隙間３０の方へ第一流面４８を流れる水と第二流面５０を流れる水の双方を導かせることが可能となる。
【００３２】
次に、止水部材４０のバリエーションについて、図６及び図７を用いて説明する。上記実施の形態に係る止水部材４０に設けられた第一流面構成部５２の先端部５２ａは、図２に示したように、前記隙間３０に位置していたが、図６に示すように、当該先端部５２ａが隙間３０を越えて浴室内部３２のより奥側まで達するようにしてもよい。このような止水部材４０によれば、第一流面４８を流れる水を浴室内部３２のより奥側まで導くことが可能となる点で、当該止水部材４０が望ましいものとなる。また、図７に示すように、上記実施の形態に係る止水部材４０の第一流面構成部５２の先端部５２ａにヒレ部７０を設けてもよい。このような止水部材４０によれば、ヒレ部７０が水をブロックすることにより浴室内部３２からの水が中間部３６へより一層入りにくくなる点で、当該止水部材４０が望ましいものとなる。
【００３３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３４】
また、上記実施の形態においては、障子として、折れ戸を例に挙げて説明したが、これに限定されるものではなく、例えば、障子は、開き戸であっても構わない。
【００３５】
また、建具として、浴室用の建具を例に挙げて説明したがこれに限定されるものではなく、例えば、シャワー室用の建具やプール用の建具であってもよい。本発明は、室内と室外との間に位置するどの建具にも、適用可能である。
【図面の簡単な説明】
【００３６】
【図１】本実施形態に係る建具の概略図である。
【図２】本実施形態に係る建具の主要部を説明するための上面図である。
【図３】本実施形態に係る建具の主要部を説明するための斜視図である。
【図４】本実施の形態に係る止水部材の斜視図である。
【図５】止水部材における水の流れを示した模式図である。
【図６】止水部材の第一バリエーションを説明するための説明図である。
【図７】止水部材の第二バリエーションを説明するための説明図である。
【符号の説明】
【００３７】
１０  建具、１４  枠体、１４ａ  上枠、１４ｂ  下枠、１４ｃ  縦枠、
１４ｄ  縦枠、２０  折れ戸、３０  隙間、４０  止水部材、
４８  第一流面、５０  第二流面、５０ａ  先端、
５２  第一流面構成部、５４  第二流面構成部、Ｓ  空間
【図１】
2008138401.tif 000003
【図２】
2008138401.tif 000004
【図３】
2008138401.tif 000005
【図４】
2008138401.tif 000006
【図５】
2008138401.tif 000007
【図６】
2008138401.tif 000008
【図７】
2008138401.tif 000009